(57)【特許請求の範囲】
【請求項１】
複数の光源が配置された回転可能なブレードと、前記ブレードの回転軸として機能するベースと、を有するホログラフィック投影ファンと、
前記ベースにおける前記ブレードが設けられている側と反対側が固定されており、前記ホログラフィック投影ファンの側の面である後方面が黒色の第１固定部と、
前記ブレードの前方に設けられており、前記ブレードの回転面と平行な面を有し、前記複数の光源が発する光を透過する円板である第２固定部と、
を有するホログラフィック投影装置。
【請求項２】
複数の光源が配置された回転可能なブレードと、前記ブレードの回転軸として機能するベースと、を有するホログラフィック投影ファンと、
前記ベースにおける前記ブレードが設けられている側と反対側が固定された第１固定部と、
前記ブレードの前方に設けられており、前記ブレードの回転面と平行な面を有し、前記ブレードに設けられた前記複数の光源を露出させる開口を有する黒色の円板である第２固定部と、
を有するホログラフィック投影装置。
【請求項３】
前記円板の直径が、前記複数の光源が配置された領域の長さ以上に大きい、
請求項１又は２に記載のホログラフィック投影装置。
【請求項４】
複数の光源が配置された回転可能なブレードと、前記ブレードの回転軸として機能するベースと、を有するホログラフィック投影ファンと、
前記ベースにおける前記ブレードが設けられている側と反対側が固定されており、前記ホログラフィック投影ファンの側の面である後方面が黒色の固定部と、
を有し、
前記ブレードの当該ブレードの回転面に対する角度は、前記ブレードが回転することにより、前記ブレードに対して前記固定部の側と反対側に送風する角度に構成されている、
ホログラフィック投影装置。
【請求項５】
前記固定部における前記後方面と前記ブレードとの間に設けられた、除菌剤を放出する除菌剤放出装置をさらに有する、
請求項４に記載のホログラフィック投影装置。
【請求項６】
前記ホログラフィック投影ファンが、同期して回転する複数の前記ブレードを有する、
請求項１から５のいずれか一項に記載のホログラフィック投影装置。
【発明の詳細な説明】
【技術分野】
【０００１】
本発明は、ホログラフィック投影装置に関する。
【背景技術】
【０００２】
従来、ホログラフィック投影装置が知られている。特許文献１には、ＬＥＤライトストリップが設けられているブレードと、ブレードが回転可能に接続されるモータが設けられているベースとを有するホログラフィック投影ファンが開示されている。
【先行技術文献】
【特許文献】
【０００３】
【特許文献１】実用新案登録第３２２０３０６号公報
【発明の概要】
【発明が解決しようとする課題】
【０００４】
ＬＥＤライトストリップがブレードと共に回転することで映像を投影する場合、ホログラフィック投影ファンが投影する映像が見えづらい場合があるという問題が生じていた。
【０００５】
そこで、本発明はこれらの点に鑑みてなされたものであり、投影する映像を見やすくするホログラフィック投影装置を提供することを目的とする。
【課題を解決するための手段】
【０００６】
本発明の第１の態様においては、複数の光源が配置された回転可能なブレードと、前記ブレードの回転軸として機能するベースと、を有するホログラフィック投影ファンと、前記ベースにおける前記ブレードが設けられている側と反対側が固定されており、前記ホログラフィック投影ファンの側の面である後方面が黒色の固定部と、を有するホログラフィック投影装置を提供する。
【０００７】
また、前記ブレードは、前記回転軸に設けられた第１ブレード及び第２ブレードを有し、前記ブレードの回転面に対する前記第１ブレードの角度及び前記回転面に対する前記第２ブレードの角度が、前記ブレードが回転することにより前方に送風する角度に構成されていてもよい。
【０００８】
また、前記固定部における前記後方面と前記ブレードとの間に設けられた、除菌剤を放出する除菌剤放出装置をさらに有していてもよい。また、前記固定部は、前記ブレードの回転面と平行な面を有する黒色の円板であってもよい。
【０００９】
また、前記円板は、前記ブレードに設けられた前記複数の光源を露出させる開口を有していてもよい。また、前記円板の直径が、前記複数の光源が配置された領域の長さ以上に大きくてもよい。また、前記ホログラフィック投影ファンが、同期して回転する複数の前記ブレードを有していてもよい。
【発明の効果】
【００１０】
本発明によれば、ホログラフィック投影装置において、投影する映像を見やすくすることができるという効果を奏する。
【図面の簡単な説明】
【００１１】
【図１】第１の実施形態に係るホログラフィック投影装置の構造を示す。
【図２】固定部の構造を示す。
【図３】第２の実施形態に係るホログラフィック投影装置の構造を示す。
【図４】固定部の構造を示す。
【図５】第２の実施形態に係るホログラフィック投影装置の正面図である。
【図６】図５に示すホログラフィック投影装置の断面図である。
【図７】第３の実施形態に係るホログラフィック投影装置の構造を示す。
【図８】第４の実施形態に係るホログラフィック投影装置の構造を示す。
【図９】変形例としてのホログラフィック投影装置の構造を示す。
【発明を実施するための形態】
【００１２】
＜第１の実施形態＞
図１は、第１の実施形態に係るホログラフィック投影装置Ｓの構造を示す図である。図２は、固定部２の構造を示す図である。図２（ａ）は、固定部２の正面図である。図２（ｂ）は、固定部２の側面図である。図２（ｃ）は、固定部２の上面図である。
【００１３】
ホログラフィック投影装置Ｓは、ホログラフィック投影ファン１、及び固定部２を有する。ホログラフィック投影ファン１は、ブレード１１、及びベース１２を有する。ブレード１１は、回転可能である。ブレード１１には、複数の光源１１１が配置されている。光源１１１は、例えばＬＥＤ（Ｌｉｇｈｔ  Ｅｍｉｔｔｉｎｇ  Ｄｉｏｄｅ）を含む。複数の光源１１１は、ブレード１１の長手方向において異なる位置に配置されている。また、ブレード１１には、映像の情報が記憶されているＳＤカードが挿入される挿入口（不図示）が設けられている。
【００１４】
ベース１２は、ブレード１１の回転軸として機能する。ベース１２は、モータ（不図示）、及び制御基板（不図示）を有する。モータは、ブレード１１を回転させる。モータの出力端はブレード１１に接続されている。制御基板は、モータを制御する。制御基板は、モータと電気的に接続されている。また、制御基板は、例えばブレード１１に設けられている挿入口に挿入されたＳＤカードに記憶されている映像の情報に基づいてＬＥＤの発光を制御する。
【００１５】
固定部２は、ホログラフィック投影ファン１を収容する収容器として機能する。固定部２には、ベース１２におけるブレード１１が設けられている側と反対側が固定されている。固定部２は、ホログラフィック投影ファン１の側の面である後方面２１が黒色である。ホログラフィック投影装置Ｓは、後方面２１が黒色の固定部２を有することで、ブレード１１に配置されている複数の光源１１１によって投影する映像を見やすくすることができる。
【００１６】
図２に示すように、固定部２は、例えば箱形状である。図１に示すように、ホログラフィック投影ファン１は、固定部２の内側に収容されている。ベース１２におけるブレード１１が設けられている側と反対側は、後方面２１に固定されている。後方面２１は、例えば固定部２の底面である。固定部２のホログラフィック投影ファン１の前方には、透明の板が設けられていてもよい。
【００１７】
ブレード１１は、第１ブレード１１２、及び第２ブレード１１３を有する。第１ブレード１１２、及び第２ブレード１１３は、回転軸と結合されている。ブレード１１の回転面に対する第１ブレード１１２の角度及びブレード１１の回転面に対する第２ブレード１１３の角度は、ブレード１１が回転することにより前方に送風する角度に構成されている。ホログラフィック投影装置Ｓは、ブレード１１がこのような構造を有することで、ブレード１１が回転することで前方に送風することができる。
【００１８】
［変形例１−１］
上記第１の実施形態においては、固定部２は、箱形状である例を示したが、これに限定されない。固定部２は、例えばブレード１１の回転面と平行な面を有する黒色の円板であってもよい。当該円板の直径は、例えば複数の光源１１１が配置された領域の長さ以上に大きい。ホログラフィック投影装置Ｓは、円板の直径が複数の光源１１１が配置された領域の長さ以上に大きいことで、ブレード１１に配置されている複数の光源１１１全てによって投影される映像を見やすくすることができる。この場合、ホログラフィック投影装置Ｓにおいて、固定部２は、ホログラフィック投影装置Ｓのブレード１１の後方に設けられている。固定部２は、例えばブレード１１の後方に固定されている。
【００１９】
［変形例１−２］
上記第１の実施形態においては、ブレード１１は、回転軸に設けられた第１ブレード１１２及び第２ブレード１１３を有する例を示したが、これに限定されない。ブレード１１が有するブレードの数は任意である。
【００２０】
［変形例１−３］
上記第１の実施形態においては、ブレード１１の回転面に対する第１ブレード１１２の角度及びブレード１１の回転面に対する第２ブレード１１３の角度は、ブレード１１が回転することにより前方に送風する角度に構成されている例を示したが、これに限定されない。第１ブレード１１２及び第２ブレード１１３には、それぞれのブレードの面に対して傾斜した面を有するフラップ状の部材が設けられており、ブレード１１と共に当該フラップ状の部材が回転することにより前方に送風するように構成されていてもよい。フラップ状の部材は、例えば、ブレード１１の短手方向における端部に、ブレード１１に対して傾斜して設けられている板状の部材を含む。
【００２１】
［変形例１−４］
また、上記第１の実施形態においては、固定部２のホログラフィック投影ファン１の前方には、透明の板が設けられている例を示したが、これに限定されない。固定部２のホログラフィック投影ファン１の前方には、開口が形成されていてもよい。この場合、例えば、ホログラフィック投影ファン１のブレード１１の前面には、複数のＬＥＤ１１１が視認可能な状態で透明の円板が設けられていてもよい。当該円板の直径は、例えば複数の光源１１１が配置された領域の長さ以上に大きくてもよい。ホログラフィック投影装置Ｓは、ブレード１１にこのような透明の円板が設けられていることで、ブレード１１に接触するのを防ぐことができる。
【００２２】
［第１の実施形態に係るホログラフィック投影装置Ｓによる効果］
ホログラフィック投影装置Ｓは、複数の光源１１１が配置された回転可能なブレード１１と、ブレード１１の回転軸として機能するベース１２と、を有するホログラフィック投影ファン１を有する。また、ホログラフィック投影装置Ｓは、ベース１２におけるブレード１１が設けられている側と反対側が固定されており、ホログラフィック投影ファン１の側の面である後方面２１が黒色の固定部２を有する。
【００２３】
ホログラフィック投影装置Ｓは、このようにホログラフィック投影ファン１の側の面である後方面２１が黒色の固定部２を有する。したがって、ホログラフィック投影装置Ｓは、ブレード１１に設けられている複数の光源１１１によって投影する映像を見やすくすることができる。
【００２４】
＜第２の実施形態＞
図３は、第２の実施形態に係るホログラフィック投影装置Ｓａの構造を示す図である。図４は、固定部２ａの構造を示す図である。図５は、第２の実施形態に係るホログラフィック投影装置Ｓａの正面図である。図６は、図５に示すホログラフィック投影装置の断面図である。
【００２５】
第２の実施形態に係るホログラフィック投影装置Ｓａは、第１の実施形態に係るホログラフィック投影装置Ｓと比べて、固定部２ａが円板である点で異なる。
【００２６】
ホログラフィック投影装置Ｓａは、ホログラフィック投影ファン１、及び固定部２ａを有する。固定部２ａは、ブレード１１の回転面と平行な面を有する黒色の円板である。固定部２ａは、これに限定されない。固定部２ａは、黒色とは異なる他の色、透明、又は鏡面（アルミニウム蒸着）の円板であってもよい。固定部２ａは、ブレード１１の前面に設けられている。固定部２ａは、例えば両面テープ又は接着剤によってブレード１１の前面に固定されている。固定部２ａは、開口２２ａを有する。開口２２ａは、ブレード１１に設けられた複数の光源１１１を露出させるための開口である。円板の直径は、複数の光源１１１が配置された領域の長さ以上に大きい。ホログラフィック投影装置Ｓａは、円板の直径が複数の光源１１１が配置された領域の長さ以上に大きいことで、ブレード１１に配置されている複数の光源１１１全てによって投影される映像を見やすくすることができる。
【００２７】
なお、図３〜図６に示すホログラフィック投影装置Ｓａは、ホログラフィック投影ファン１及び固定部２ａが、図２に示した固定部２に収容されているが、ホログラフィック投影装置Ｓａは、固定部２を有しておらず、ホログラフィック投影ファン１及び固定部２ａにより構成されていてもよい。また、図６においては、ブレード１１が固定部２ａの後方に設けられているが、ブレード１１が固定部２ａの前方に設けられていてもよい。
【００２８】
＜第３の実施形態＞
図７は、第３の実施形態に係るホログラフィック投影装置Ｓｂの構造を示す図である。図７（ａ）は、ホログラフィック投影装置Ｓｂの正面図である。図７（ｂ）は、ホログラフィック投影装置Ｓｂの断面図である。
【００２９】
第３の実施形態に係るホログラフィック投影装置Ｓｂは、第１の実施形態に係るホログラフィック投影装置Ｓと比べて、除菌剤放出装置３ｂを有する点で異なる。
ホログラフィック投影装置Ｓｂは、ホログラフィック投影ファン１、固定部２、及び除菌剤放出装置３ｂを有する。除菌剤放出装置３ｂは、除菌剤を放出する。
【００３０】
除菌剤放出装置３ｂは、例えばオゾン発生器、紫外線装置、ミスト発生器、又はストリーマ放電装置を含む。オゾン発生器は、除菌剤としてオゾンを放出する。紫外線装置は、紫外線が漏れないようにランプのみが装置の内部に設けられており、空気のみを除菌処理する。ミスト発生器は、除菌剤として次亜塩素酸、又はヒノキオイルを放出する。ストリーマ放電装置は、除菌剤として例えば酸化分解力の高い活性種を放出する。
【００３１】
除菌剤放出装置３ｂは、固定部２における後方面２１とブレード１１との間に設けられている。除菌剤放出装置３ｂは、後方面２１に固定されている。後方面２１の除菌剤放出装置３ｂの裏側には、開口（不図示）が形成されている。ホログラフィック投影装置Ｓｂは、このような構造を有することで、ブレード１１が回転することにより固定部２の後方面２１とブレード１１との間の空間が負圧になるため、除菌剤放出装置３ｂが放出する除菌剤を当該開口を通して後方面２１の裏側から前方に向かって流入する空気と共に、前方に向かって流すことができる。
【００３２】
［変形例３−１］
上記第３の実施形態においては、除菌剤放出装置３ｂは、固定部２における後方面２１とブレード１１との間に設けられている例を示したが、これに限定されない。除菌剤放出装置３ｂは、例えば固定部２の後方面２１の裏側に設けられていてもよい。この場合、例えば、後方面２１における除菌剤放出装置３ｂの前方の位置には、開口が形成されている。ホログラフィック投影装置Ｓｂは、このような構造を有することで、ブレード１１が回転することにより固定部２の後方面２１とブレード１１との間の空間に負圧が生じるため、除菌剤放出装置３ｂが放出する除菌剤を後方面２１の裏側から当該開口を通して前方に向かって流すことができる。
【００３３】
［変形例３−２］
また、上記においては、固定部２が箱形状であり、固定部２の後方面２１が黒色である例を示したが、これに限定されない。固定部２は、固定部２ａであってもよい。この場合、固定部２ａである円板には複数の開口が形成されており、当該複数の開口の縁にそれぞれ接続されている当該開口を開閉可能なフラップが設けられており、開口を介して除菌剤が前方に放出されてもよい。
【００３４】
［変形例３−３］
また、上記第３の実施形態においては、除菌剤放出装置３ｂは、固定部２における後方面２１とブレード１１との間に設けられている例を示したが、これに限定されない。除菌剤放出装置３ｂは、ブレード１１に設けられていてもよい。
【００３５】
［変形例３−４］
上記の説明においては、ホログラフィック投影装置Ｓｂに固定部２が設けられていたが、固定部２が設けられておらず、ホログラフィック投影ファンと除菌剤放出装置３ｂとを有してもよい。除菌剤放出装置３ｂは、ホログラフィック投影ファン１に設けられていてもよく、ホログラフィック投影ファン１の後方又は前方に設けられていてもよい。ブレード１１を使って映像を投影しながら話す場合、飛沫が飛んでしまう。このような場合に、ブレード１１が回転している状態で除菌剤放出装置３ｂから除菌剤が放出されることにより、飛沫に含まれているウィルスや細菌を除菌することができるので、ウィルス等への感染を防ぐことができる。
【００３６】
＜第４の実施形態＞
図８は、第４の実施形態に係るホログラフィック投影装置Ｓｃの構造を示す図である。
第４の実施形態に係るホログラフィック投影装置Ｓｃは、第１の実施形態に係るホログラフィック投影装置Ｓと比べて、同期して回転する複数のブレード１１ｃを有するホログラフィック投影ファン１ｃと、固定部２ａとを有する点で異なる。
【００３７】
ホログラフィック投影装置Ｓｃは、ホログラフィック投影ファン１ｃ、及び固定部２ａを有する。ホログラフィック投影ファン１ｃは、複数のブレード１１ｃ、及びベース１２を有する。ブレード１１ｃは、ブレード１１と同様に、回転可能であり、複数の光源１１１が配置されている。複数のブレード１１ｃは、同期して回転する。ホログラフィック投影ファン１ｃが有するブレード１１ｃの数は任意である。
【００３８】
図８に示すように、複数のブレード１１ｃは、ホログラフィック投影装置Ｓｃの高さ方向と直交する水平方向において異なる位置に配置されている。複数のブレード１１ｃの複数の光源１１１が配置されている側の面は、ホログラフィック投影装置Ｓｃの中心を通る水平面内において、当該中心から外側に向かって異なる向きに向けられている。
【００３９】
ホログラフィック投影装置Ｓｃは、このように光源１１１が配置されている側の面が異なる向きに向けられている、同期して回転する複数のブレード１１ｃが設けられているホログラフィック投影ファン１ｃを有することで、異なる向きに向かって映像を投影することができる。よって、ホログラフィック投影装置Ｓｃは投影した映像を異なる向きから視認可能にすることができる。
【００４０】
［変形例４−１］
図９は、変形例としてのホログラフィック投影装置Ｓｄの構造を示す図である。
上記第４の実施形態においては、ホログラフィック投影装置Ｓｃは、水平方向において異なる位置に配置されている複数のブレード１１ｃが設けられているホログラフィック投影ファン１ｃを有する例を示したが、これに限定されない。ホログラフィック投影装置Ｓｄは、ホログラフィック投影装置Ｓｄの高さ方向において異なる位置に配置されている複数のブレード１１ｄが設けられているホログラフィック投影ファン１ｄを有していてもよい。
【００４１】
ホログラフィック投影装置Ｓｄは、ホログラフィック投影ファン１ｄ、及び固定部２ａを有する。ホログラフィック投影ファン１ｄは、複数のブレード１１ｄ、及びベース１２を有する。ブレード１１ｄは、ブレード１１と同様に、回転可能であり、複数の光源１１１が配置されている。複数のブレード１１ｄは、複数のブレード１１ｃと同様に、同期して回転する。ホログラフィック投影ファン１ｄが有するブレード１１ｄの数は任意である。
【００４２】
図９に示すように、複数のブレード１１ｄは、ホログラフィック投影装置Ｓｄの高さ方向において異なる位置に配置されている。ホログラフィック投影装置Ｓｄは、このように高さ方向において異なる位置に配置されている、同期して回転する複数のブレード１１ｄが設けられているホログラフィック投影ファン１ｄを有することで、ホログラフィック投影ファン１ｄが投影する映像を大きくすることができる。
【００４３】
以上、本発明を実施の形態を用いて説明したが、本発明の技術的範囲は上記実施の形態に記載の範囲には限定されず、その要旨の範囲内で種々の変形及び変更が可能である。例えば、装置の全部又は一部は、任意の単位で機能的又は物理的に分散・統合して構成することができる。また、複数の実施の形態の任意の組み合わせによって生じる新たな実施の形態も、本発明の実施の形態に含まれる。組み合わせによって生じる新たな実施の形態の効果は、もとの実施の形態の効果を併せ持つ。
【符号の説明】
【００４４】
Ｓ、Ｓａ、Ｓｂ、Ｓｃ、Ｓｄ・・・ホログラフィック投影装置
１、１ｃ、１ｄ・・・ホログラフィック投影ファン
１１、１１ｃ、１１ｄ・・・ブレード
１１１・・・光源
１１２・・・第１ブレード
１１３・・・第２ブレード
１２・・・ベース
２、２ａ・・・固定部
２１・・・後方面
２２ａ・・・開口
３ｂ・・・除菌剤放出装置
【要約】
【課題】ホログラフィック投影装置において、投影する映像を見やすくする。
【解決手段】ホログラフィック投影装置Ｓは、複数の光源１１１が配置された回転可能なブレード１１と、ブレード１１の回転軸として機能するベース１２と、を有するホログラフィック投影ファン１と、ベース１２におけるブレード１１が設けられている側と反対側が固定されており、ホログラフィック投影ファン１の側の面である後方面２１が黒色の固定部２と、を有する。
【選択図】図１【図１】
0006866528.tif 000002
【図２】
0006866528.tif 000003
【図３】
0006866528.tif 000004
【図４】
0006866528.tif 000005
【図５】
0006866528.tif 000006
【図６】
0006866528.tif 000007
【図７】
0006866528.tif 000008
【図８】
0006866528.tif 000009
【図９】
0006866528.tif 000010